Podtech/llm-jp-corpus-v4-ja_patent huggingface dataset:
(57)【要約】      （修正有）【課題】洗浄機能付き便座にビデの機能を付与し、機能の切り替えや出力調整の全操作を一つのスイッチに集約し、スイッチの捻る方向で機能の切り替え、捻る量の多少で出力の調整を可能にして操作性を向上した洗浄機能付き便座を提供する。【解決手段】給水管と２本の洗浄水噴出ノズルとの間に１つのスイッチを設け、２本の噴出口の切り替えや出力調整の全操作を前記の１つのスイッチに集約し、それを捻る方向で洗浄機能の切り替え、捻る量の多少で出力の調整を可能にしたビデ付き水圧式局部洗浄機能付き便座。【選択図】図１
0003232454.tif 000002
【実用新案登録請求の範囲】
【請求項１】
電源不要の水圧のみで作動する局部洗浄機能付き便座にビデ機能を付与したビデ付き水圧式局部洗浄機能付き便座。
【請求項２】
上記のビデ付き水圧式局部洗浄機能付き便座に機能の切り替えや出力調整の全操作を一つのスイッチに集約し、スイッチの捻る方向で機能の切り替え、捻る量の多少で出力の調整を可能にしたビデ付き水圧式局部洗浄機能付き便座。
【考案の詳細な説明】
【技術分野】
【０００１】  本考案は水圧式局部洗浄機能付き便座に関する。
【技術背景】
【０００２】  生活を豊かにする道具に局部洗浄機能付き便座がある。電源を必要とするものが多いが、水圧のみで作動する水圧式局部洗浄機能付き便座（以下、洗浄機能付き便座と記述）があり電源不要で設置と使用の制約は少ないが構造と操作の簡便さの観点から付与された機能が肛門付近の洗浄のみのものしか存在しない。
【考案が解決しようとする課題】
【０００３】  従来の洗浄機能付き便座にはビデの機能がない為、利用者の性別によっては局部の洗浄が不十分な場合がある。また、多数の操作スイッチがあると複雑な操作や知識が必要となり十分な利用が困難な場合があるという不具合が生じる。
【課題を解決するための手段】
【０００４】  洗浄機能付き便座にビデの機能を付与し、機能の切り替えや出力調整の全操作を一つのスイッチに集約し、スイッチの捻る方向で機能の切り替え、捻る量の多少で出力の調整を可能にして簡易に利用できるよう仕様変更したもの。これにより上記の課題を解決する手段とする。
【考案の効果】
【０００５】  従来の洗浄機能付き便座はビデ付与のものが存在せず、肛門付近の洗浄機能のみのものが一般的であり、利用者の性別によっては局部の洗浄が不十分な場合がある。また、多数の操作スイッチがあると複雑な操作や知識が必要とあなり、生活を豊かにする道具であるにも関わらず幅広い利用者を対象としたものであるとは言い難いものであった。
【考案を実施するための最良の形態】
【０００６】  洗浄機能付き便座にビデの機能を付与し、機能の切り替えや出力調整の全操作を一つのスイッチに集約し、スイッチの捻る方向で機能の切り替え、捻る量の多少で出力の調整を可能にして簡易に利用できるよう仕様変更したもの。
【図面の簡単な説明】
【０００７】
【図１】  全体図
【図１】
0003232454.tif 000003
【手続補正書】
【提出日】令和3年2月9日(2021.2.9)
【手続補正１】
【補正対象書類名】実用新案登録請求の範囲
【補正対象項目名】全文
【補正方法】変更
【補正の内容】
【実用新案登録請求の範囲】
【請求項１】
洗浄水噴出ノズルを２本同時に装備したビデ付き水圧式局部洗浄機能付き便座。
【請求項２】
給水管と前記の２本の洗浄水噴出ノズルとの間に１つのスイッチを設け、２本の噴出口の切り替えや出力調整の全操作を前記の１つのスイッチに集約し、それを捻る方向で洗浄部分の切り替え、捻る量の多少で出力の調整を可能にした請求項１に記載のビデ付き水圧式局部洗浄機能付き便座。
(57)【要約】      （修正有）【課題】上部消化管内視鏡検査時の飛沫から医療従事者を守る防御用シールドを提供する。【解決手段】シールドは、アクリルで作成したドーム状のシールドボックスであり、患者の口方向には術者が内視鏡を挿入するための挿入孔３を開けてある。挿入孔３だけの状態では飛沫は挿入孔３から容易に外部に流出するため、同部位には医療用のディスポタイプの透明アームカバーを一方をカットして取り付ける。アクリル板で作られたシールド１、２および挿入孔３に取りつけたカバーにより飛沫の外部流出を抑制する機能を有する。使用後はアームカバーを引き抜き破棄するだけなので衛生的に管理可能である。【選択図】図１
0003232455.tif 000002
【実用新案登録請求の範囲】
【請求項１】
透明アクリル板を使用し、左下側臥位にした患者の口方向に内視鏡挿入孔を設けたシールド
【請求項２】
内視鏡挿入孔にはフランジを取り付けた請求項１に記載のシールド
【請求項３】
フランジにはアームカバーないしは筒状のビニールを取り付け、飛沫拡散防止機能を有する請求項１または請求項２に記載のシールド
【考案の詳細な説明】
【技術分野】
【０００１】  新型コロナウイルス感染は飛沫感染が多く、咳嗽や嘔吐反射による飛沫を発生しやすい内視鏡検査時に、医療従事者が感染しない為の防御用シールドである。
【背景技術】
【０００２】  内視鏡検査は患者と医師が対面し、検査を行うが、従来医師と患者の間に感染を防御するようなシールド機能をもつ機器はない。
【考案の概要】
【考案が解決しようとする課題】
【０００３】  内視鏡検査は患者と医師が対面し、検査を行うが、従来医師と患者の間に感染を防御するようなシールド機能をもつ機器はない。現在ゴーグルやガウンを使用するが飛沫は避けられず、非常に危険な検査となっている。また、咳嗽や嘔吐反射による飛沫は介助する看護師にも感染リスクを生じている。手術時のような覆布を患者全面にかける方法もあるが、煩雑であり、患者の状態把握は困難で、現実的ではない。本シールドを使用することにより、術者、看護師などの医療従事者の感染リスクを減らすことが可能である。
【課題を解決するための手段】
【０００４】  患者の前胸部から頭部にアクリルで作成したドーム状のシールドボックスを作成し左側臥位の患者の頭部から前胸部が入るように設置する。患者の口方向には術者が内視鏡を挿入するためのホールを開けてある。ホールの状態では飛沫はホールから容易に外部に流出するため、同部位には医療用のディスポタイプの透明アームカバーを一方をカットして取り付ける。アームカバーの代わりに透明筒状のポリエチレンを輪ゴムを利用し取り付けることも可能である。カバーが存在するため飛沫の外部流出を極力防止可能である。また、患者の緊急時には内視鏡を抜去し、シールドボックスを取り外すだけなので安全管理上も問題なく、透明のため患者の状況把握は良好である。
【考案の効果】
【０００５】  上部内視鏡時の飛沫感染リスクが軽減でき、患者の状況把握も良好である。
【図面の簡単な説明】
【０００６】  サイズ、およびホール位置は以下のとおりである。
【図１】アクリル板の形状の全体図である
【考案を実施するための形態】
【０００７】  本シールドは  ５ｍｍの透明アクリル板（１）と１．５ｍｍの透明アクリル板（２）を使用し、上部をドーム状に曲げて作製している。ドーム状にすることで患者が感じる圧迫感も軽減できる。挿入孔（３）は外部に２０ｍｍ突出しており、同部位にアームカバーのゴムを利用し取り付けることが可能である。
【実施例】
【０００９】  上部内視鏡施行時、咽頭麻酔ののちマウスピースを装着させる。仰臥位のもと、採血や薬剤投与を行い、速やかに左下仰臥位にする。あらかじめ閉所恐怖症などがないことを確認したうえで、了解のもとあらかじめ内側に２２ｃｍほど長く伸ばしたアームカバーをフランジに取り付ける。アームカバーはベッド上に設置するまで短くまとめておく。左下仰臥位の患者の頭部及び前胸部が入るようシールドを設置。挿入孔より内視鏡を挿入する。その際アームカバーは１０ｃｍほど伸ばしておく。
【符号の説明】
【００１１】１．  ５ｍｍアクリル板
２．  １．５ｍｍアクリル板
３．  挿入孔
【図１】
0003232455.tif 000003
【手続補正書】
【提出日】令和3年1月22日(2021.1.22)
【手続補正１】
【補正対象書類名】実用新案登録請求の範囲
【補正対象項目名】全文
【補正方法】変更
【補正の内容】
【実用新案登録請求の範囲】
【請求項１】
透明アクリル板を使用し、左下側臥位にした患者の口方向に内視鏡挿入孔を設けたシールド。
【請求項２】
内視鏡挿入孔にはフランジを取り付けた請求項１に記載のシールド。
【請求項３】
フランジにはアームカバーないしは筒状のビニールを取り付け、飛沫拡散防止機能を有する請求項２に記載のシールド。
(57)【要約】      （修正有）【課題】冷凍庫に入れて使用される急速冷凍食品容器において、食品を急速冷凍し冷凍庫内の他の冷凍食品に温度影響を与えない、冷凍力の高い急速冷凍食品容器を提供する。【解決手段】急速冷凍食品容器において、容器の器１と蓋を共に鋳物等の熱伝導率の高い金属製とし、器開口部に対する蓋を嵌め込み蓋や被せ蓋ではなく落とし蓋２として、蓋の下部面を器内食品３の上部面に接触させて急速氷結させる。【選択図】図２
0003232668.tif 000002
【実用新案登録請求の範囲】
【請求項１】
急速冷凍食品容器において、容器の器と蓋を共に金属製とし、器開口部に対する蓋を嵌め込み蓋や被せ蓋ではなく落とし蓋として、蓋の下部面を器内食品の上部面に接触させて、急速氷結させることを特徴とする急速冷凍食品容器。
【考案の詳細な説明】
【技術分野】
【０００１】  本考案は、容器の蓋を落し蓋とした金属製の急速冷凍食品容器に関する。
【背景技術】
【０００２】  樹脂製や金属製の器に対し、共にその上部開口部に成形した樹脂製の嵌め込み蓋で器に結合させたり、器も被せ蓋も共に同じ材質の金属製やガラス製の冷凍食品容器がある。
【考案の概要】
【考案が解決しようとする課題】
【０００３】  本考案は、冷凍庫に入れて使用される冷凍食品容器において、食品を急速冷凍し冷凍庫内の他の冷凍食品に温度影響を与えない、冷凍力の高い急速冷凍食品容器が求められる。
【課題を解決するための手段】
【０００４】  本考案は、上記課題を解決するための急速冷凍食品容器で、容器の器と蓋を共に鋳物等の金属製とし、器開口部に対する蓋を嵌め込み蓋や被せ蓋ではなく落とし蓋として、蓋の下部面を器内食品の上部面に接触させることを特徴とする急速冷凍食品容器。
【考案の効果】
【０００５】  急速冷凍食品容器の器と蓋を共に鋳物等の熱伝導率の高い金属製とし、器開口部に対する蓋を落とし蓋構造にすることで、容器内の食品は器面に加えて落とし蓋面にも接触して、食品は容器内で囲まれ上下から挟まれた状態で効率よく容器全体の冷凍熱が伝熱し急速冷凍され、最大氷結晶生成温度帯を短時間で通過することができるので、細胞の組織損傷も少なく微生物の細菌やカビ等の繋殖を抑え鮮度を保つことができ、さらに冷凍庫内に入っている他の冷凍食品にも温度影響を与えることのない、急速冷凍食品容器を提供する。
【図面の簡単な説明】
【０００６】
【図１】は、平面図で、器に落とし蓋をした状態
【図２】は、正面図で、器に食品を入れ落とし蓋をした状態
【図３】は、側面図で、器に食品を入れ落とし蓋をした状態
【符号の説明】
【０００７】    １  器
２  落とし蓋
３  食品
【図１】
0003232668.tif 000003
【図２】
0003232668.tif 000004
【図３】
0003232668.tif 000005
(57)【要約】      （修正有）【課題】指を通す際の指の負担を軽減し、時間を短縮する５本指靴下を提供する。【解決手段】５本指靴下の指先００１を丸くする。指先の圧迫感がなく、手軽に指を通すことができ、所要時間が今までの半分で済む。【選択図】図１
0003232667.tif 000002
【実用新案登録請求の範囲】
【請求項１】
指の先端部分を丸くした５本指靴下。
【考案の詳細な説明】
【技術分野】
【０００１】  本考案は５本指靴下の指先を丸い形に縫製した靴下に関する。
【背景技術】
【０００２】  従来、５本指靴下の指の部分は直線的に縫製し、指先は閉じている。
【先行技術文献】
【特許文献】
【特許文献１】実開昭５５−１４６４０８号広報
【特許文献２】実開平０５−０２２５０３号広報
【考案の概要】
【考案が解決しようとする課題】
【０００３】  ５本指靴下に指を通す際は布部分をつまみ、指を少しずつ奥へ押し込む。
片足を履くための所要時間は綿製品の場合で約１分３０秒は必要。【０００４】  本考案はこのような、５本指靴下の指を通す際の指の負担軽減、及び時間短縮を目的とする。
【課題を解決しようとする手段】
【０００５】  ５本指靴下の指先部分を丸く縫製する。
【考案の効果】
【０００６】  ５本指靴下の指を通す際の摩擦抵抗が、ほとんど無くなる。
履く所要時間が今までの半分程度で済む
【図面の簡単な説明】
【０００７】  本考案の形状図
【図１】  靴下の指の部分
【図２】  靴下の全体図
【考案を実施するための形態】
【０００８】  本考案は５本指靴下の指先部分、図１に示す００１の部分を丸く縫製することにより、指を通していく際の摩擦等が、軽減される。
【符号の説明】００１・・・本考案の丸く縫製した指先部分
２２２・・・指先部分を上から見た図
３３３・・・前側から見た靴下の全体図
【図１】
0003232667.tif 000003
【図２】
0003232667.tif 000004
(57)【要約】      （修正有）【課題】マスク着用時にリラックス効果をプラスするマスクホルダを提供する。【解決手段】マスクホルダは、同一形状を有する２枚の天然桧材１１、１２と、密閉チャックの袋１４とから成る。板材１１、１２に衛生マスク１３を挟むことで揮発性物質αピネンが衛生マスク１３に浸透する。２枚の板材１１、１２と衛生マスク１３を密閉チャック袋１４へ収納することで、長期効果の継続及び携帯性が向上する。また香気性が無くなっても天然桧板材１１、１２はコースター等に有効活用でき、廃棄物が無く活用が可能である。【選択図】図２
0003232665.tif 000002
【実用新案登録請求の範囲】
【請求項１】
吸引するとリラックス効果が有り、かつ抗菌作用の有る天然桧材にて、衛生マスクを挟みそれを密閉チャックの袋に収納することを特徴としたマスクホルダ。
【請求項２】
請求項１に記載したマスクホルダにおいて同一形状・サイズを有する２枚の天然桧板材から成り、前記板材にて衛生マスクを挟むことを特徴とするマスクホルダ。
【考案の詳細な説明】
【技術分野】
【０００１】  本考案は、口及び鼻を覆う衛生マスクを袋に収納させるマスクホルダに関するものである。
【背景技術】
【０００２】  近年、新型コロナウイルス等の流行により衛生マスクを着用する機会が増えている。従来のマスクケースとしては、例えば下記特許文献１のマスクケースががある。これはマスクケース内面に菌・ウイルスの低減効力を持つシートを設けていることを特徴としている。
【先行技術文献】
【特許文献】
【０００３】
【特許文献１】実用新案登録第３２２９９８２号
【０００４】  例えば、特許文献１ではマスクケース内面に菌・ウイルスの低減効力を持つシートを設けていることが記載されている。しかしながら衛生マスクを実際着用すると、製造メーカー、材質により固有のにおいが有り「特有の臭いが苦手」「おろしたてのマスクのにおいキライ」といった声が散見され、苦手だという人は少なくない。
【考案の概要】
【考案が解決しようとする課題】
【０００５】  本考案は上記従来の問題点に着目して為されたものであり、抗菌作用の有る国産桧のアロマをマスクに浸透させることで着用時リラックス効果をプラスするマスクホルダの提供をその目的とする。
【課題を解決するための手段】
【０００６】      上記目的を達成するために、本考案に係るマスクホルダは２枚の抗菌作用の有る天然桧板材から成り、前記桧板材の中間にマスクを挟み配置することで揮発性物質成分αピネンを浸透させることを特徴とする。【０００７】  本考案は、密閉チャックの袋に収納することで長期効果を持続、また携帯性を高めることを特徴とする。【０００８】  本考案は、使用する桧板材のアロマ効果が無くなってもコースター等有効活用の楽しみを特徴としている。
【考案の効果】
【０００９】  本願考案によれば２枚の天然桧材に衛生マスクを挟み、密封チャックの袋に収納することで揮発性物質が浸透しマスク着用時リラックス効果を使用者に提供できる。また抗菌作用、携帯性も有効である。
【図面の簡単な説明】
【００１０】
【図１】本考案に係るマスクホルダを示すもので、（ａ）は正面を示す説明図であり、（ｂ）は断面を示す説明図である。
【図２】本考案に係るマスクホルダの使用方法を示す外観図である。
【符号の説明】
【００１１】１１．天然桧板材
１２．天然桧板材
１３．衛生マスク
１４．密閉チャック袋
【図１】
0003232665.tif 000003
【図２】
0003232665.tif 000004
(57)【要約】      （修正有）【課題】酢を入れる瓶を提供する。【解決手段】酢を入れる瓶は、口のすぼまった先端部を備える。流行性風邪にかかった場合に、酢、梅酢を飲むと熱が下り、すっきりする。【選択図】図１
0003232626.tif 000002
【実用新案登録請求の範囲】
【請求項１】
酢を毎日少量飲む
【考案の詳細な説明】
【図面の簡単な説明】
【図１】酢が入った容器
【図１】
0003232626.tif 000003
【手続補正書】
【提出日】令和2年10月31日(2020.10.31)
【手続補正１】
【補正対象書類名】実用新案登録請求の範囲
【補正対象項目名】全文
【補正方法】変更
【補正の内容】
【実用新案登録請求の範囲】
【請求項１】
瓶  ガラス  陶器でできた液体などを入れる口のすぼまった細長い容器に入った酢
病原体トナル微生物を殺してその物を無菌の状態にする
口から飲み消化器を通して吸收させる
杯一杯ぐらい，効果的
【手続補正書】
【提出日】令和3年1月26日(2021.1.26)
【手続補正１】
【補正対象書類名】実用新案登録請求の範囲
【補正対象項目名】全文
【補正方法】変更
【補正の内容】
【実用新案登録請求の範囲】
【請求項１】
酢を入れる瓶であって口のすぼまった先端部を備えた瓶
(57)【要約】      （修正有）【課題】マットレスの脱着を簡単にし、時間的、労働的負担を軽減する簡単脱着敷マットレス寝具カバーを提供する。【解決手段】マットレスカバー本体１の裏中央にファスナー２を縫い付け脱着を簡単にする。【選択図】図１
0003232618.tif 000002
【実用新案登録請求の範囲】
【請求項１】
マットレスカバーの裏中央にファスナーをつけ、脱着を簡単にできるところを特徴とした、簡単脱着マットレスカバー。
【考案の詳細な説明】
【技術分野】
【０００１】      本考案は、裏部分にファスナーをつけた、マットレスカバーに関するものである。
【背景技術】
【０００２】      マットレスカバーは、横ファスナーのものが多く、重いマットレスのカバー脱着に力を要した。
【考案の概要】
【考案が解決しようとする課題】
【０００３】      マットレスが硬く重い、カバー脱着にかかる時間的、労働的負担を解決しようとするものである。
【課題を解決するための手段】
【０００４】本考案は、下にこのマットレスカバーを敷き上にマットレスを乗せ、端をくるっと丸めてカバーの隅にはめ込むことで、マットを持ち上げず簡単に脱着できる。
【考案の効果】
【０００５】上記のように、硬く重いマットレスのカバー脱着を簡単にし、時間的、労働的負担を軽減できる。
【図面の簡単な説明】
【０００６】
【図１】本考案のマットレスカバーの実施例を示す図。
【考案を実施するための形態】
【０００７】マットレスカバーの裏中央にファスナーを縫い付け、ベッド上に敷きマットレスに簡単に脱着できる。
【実施例】
【０００８】以下、添付図面に従って一実施例を説明する。  １は、吸水性、通気性に優れた綿等適宜素材にて形成されたマットレスカバー本体。２は、本体１に縫い付けられたファスナーで、開閉脱着が自在となる。
【産業上の利用可能性】
【０００９】大量にカバー脱着が必要な、施設・病院・旅館・ホテルなど、または、個人宅にて利用可能。
【符号の説明】
【００１０】１  マットレスカバー本体
２  開閉用ファスナー
【図１】
0003232618.tif 000003
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
マットレスカバーの裏中央にファスナーをつけ、敷マットレス寝具とマットレスカバーの脱着を簡単にできるところを特徴とした、簡単脱着敷マットレス寝具カバー。
(57)【要約】      （修正有）【課題】使用中顔面からずり落ちないマスクを提供する。【解決手段】マスク下縁３の中央に切込みを入れたり、又は、幅広欠損部７を設けた。鼻上に位置する上縁部２はずり落ちることがない。【選択図】図３
0003232637.tif 000002
【実用新案登録請求の範囲】
【請求項１】
マスク下縁中央部に縦の切込み又は欠損部を設けた、鼻からずれ落ちないマスク。
【考案の詳細な説明】
【技術分野】
【０００１】  例えば布製マスクは使用中、マスクの上縁が鼻の下までずれ落ち易いが、本考案は使用中ずれ落ちないマスクに関する。
【背景技術】
【０００２】  マスクの素材や形状は多数あり、使用効果も様々であると思うが、布製マスクは使用中ずれ落ちて、マスクの上縁が鼻の下までずれ落ちることがよくある。
口と鼻を覆うことを主目的とするマスクが鼻からずれ落ちて、その都度手でマスクを鼻の上に持ち上げることがよくあった。本考案は顔面や鼻からずれ落ちないマスクである。
【先行技術文献】
【特許文献】
【０００３】
【特許文献１】特開２０１３−２３３４００
【考案の概要】
【考案が解決しようとする課題】
【０００４】布製マスクは安価で使いやすく、花粉やウイルス防止効果があるとされるが、使用中、顔面からずれ落ちて鼻が露出しやすい欠点があった。
【課題を解決するための手段】
【０００５】  布製マスクは使用中にずれ落ちて、マスクの上縁が鼻下まで落ち、マスク下縁は顎下にたまる欠点があった。
そこでマスクの下縁の中央に下方から上に向かって切込みを入れることで、ずれ落ちを防ぐマスクを作る手段とした。【０００６】上記切込みの左右のかどは切り落としても効果に関係なく、直線または曲線に切り落としてもよい。
図３のようにマスクの下縁の中央部に欠損部を設けても効果は変わらない。
マスク下縁の切込みや、かどの切り落としや、欠損部は前方から見て顎先が出ていることで、問題を解決している。
【考案の効果】
【０００７】  マスクの下縁に切込みや欠損部を設けることで、話をしたり、顎を上下に動かしても、マスクは上下にずれ動くことはなく、鼻を覆っている部分も鼻から下へ落ちない。
【図面の簡単な説明】
【０００８】
【図１】  角形マスクの下縁中央に１本の切込みを入れた平面図。
【図２】  切込み部分の両角を面取りのように切り落とした平面図。
【図３】  マスク下縁中央を幅広く欠損した平面図。
【考案を実施するための形態】
【０００９】  本考案を顔面に取り付け使用すると、マスク下縁の切込みや欠損部により、顎の下部が覆われることがなく、話をしても顎を動かしてもマスクは下や上に動くことがない。そのためマスク上縁は鼻の上にあって鼻の下へ動くことがない。
【実施例】
【００１０】  本考案は使用するとマスク下縁が顎下を覆うことなく、顎下は正面から見える状態になり、声を出しても顎を動かしてもマスクは下方へ動かず、マスク上縁は鼻の上にあって鼻下へずり落ちることはない。試作試用の結果である。【００１１】以下添付図面に従って実施例を説明する。
図１、図２、図３，ともにマスク１の平面図で、左右に耳掛紐４があり、図１のマスク１下部中央に切込み５がある。図２は切込み５部分の両角を切って、欠損部６とした。図３は下縁３に幅広の欠損部７を設けた図である。図はそれぞれ左右対称を基本とする。【００１２】本考案は紐４を耳にかけて使用すると、顎先にあるマスク下縁３が左右に分かれて広かり、前方から見ると切込み５や欠損部６、幅広欠損部７により顎先が見えるようになる。
結果としてマスク下縁３は顎下になく、顎を動かしても顎はマスク下縁３を下押ししない。
マスクの形状は四角形とは限らない。
【符号の説明】
【００１３】１，マスク
２，マスク上縁
３，マスク下縁
４，マスク耳紐
５，マスク切込線
６，かどを切り取った図
７，下縁幅広欠損部
【図１】
0003232637.tif 000003
【図２】
0003232637.tif 000004
【図３】
0003232637.tif 000005
(57)【要約】      （修正有）【課題】本考案は、店員が麻雀牌や点棒を消毒する作業の負担を減らす為、銅を含有する熱塑性樹脂組成物を各部に貼付し、銅の殺菌ならびに抗菌効果を牌や点棒に付与する全自動麻雀卓を提供する。【解決手段】全自動麻雀卓の中央にある牌投入部２に、銅を含有する熱塑性樹脂組成物１を固定し、麻雀牌を牌投入部から機械内部へ落とす際に、銅を含有する熱塑性樹脂組成物と麻雀牌を接触させることで、殺菌・抗菌効果のある銅イオンを麻雀牌に付着させ、菌やウイルスを効果的に抑制する。【選択図】図２
0003232635.tif 000002
【実用新案登録請求の範囲】
【請求項１】
全自動麻雀卓の中央にある牌投入口に、高い殺菌性能と外観耐久性、成形加工性、軽量性に優れた特長を持つ、銅を含有する熱塑性樹脂組成物を貼付し、麻雀牌を牌投入口から機械内部に落とす際に、銅を含有する熱塑性樹脂組成物と麻雀牌を接触させることで銅の抗菌効果を発生させ、菌やウイルスを効果的に抑制することを特徴とする麻雀卓。
【請求項２】
全自動麻雀卓機械内部のターンテーブルマットに銅を含有する熱塑性樹脂組成物を貼付し、麻雀牌攪拌時に銅を含有する熱塑性樹脂組成物と麻雀牌を接触させることで銅の抗菌効果を発生させ、菌やウイルスを効果的に抑制することを特徴とする麻雀用具。
【請求項３】
麻雀の点数表示枠に付属している点箱ケースの内側に銅を含有する熱塑性樹脂組成物を予めカットして差し込み、銅を含有する熱塑性樹脂組成物と点箱ケースの中に入れる点棒を接触させることで、銅の抗菌効果を発生させ、菌やウイルスを効果的に抑制することを特徴とする麻雀用具。
【考案の詳細な説明】
【技術分野】
【０００１】本発明は、全自動麻雀卓に関する。
【背景技術】
【０００２】麻雀牌や点棒に関しての消毒は麻雀クラブの店員が行っており、新型コロナウイルス感染症防止の為に頻繁に消毒作業を行う必要があった。
【先行技術文献】
【特許文献】
【０００３】
【特許文献１】特開２０１９−１５６９０３号
【考案の概要】
【考案が解決しようとする課題】
【０００４】都度消毒作業を行うには、客が遊戯を終えて卓を離れていることが必須条件であり、繁盛店であればあるほど消毒作業が簡単に行えない事例が発生している。銅イオンの微量金属作用には、細菌類を死滅させる性質があり、第一精工舎製の銅を含有する熱塑性樹脂組成物（特開２０１９−１５６９０３号）を、牌や点棒に接触させ、殺菌ならびに抗菌の効果を与えることができれば、店員の業務負担も少なく、清掃の度に遊戯を妨げることも少なくなると期待できる。また遊戯する客にも殺菌の安心感を与えることで来店数の増加も期待できる。
【課題を解決するための手段】
【０００５】図１において、全自動麻雀卓を使用して遊戯する麻雀では、機械内部の昇降部下で待機している牌と、天板マット上で遊戯に使用する牌が存在する。勝ち負けが決定する度に、図２−３におけるサイコロボックスボタンを押すことで図２−２における牌投入口が開き、図２−４における天板マット上の牌を機械内部に落とし、再度サイコロボックスボタンを押せば、機械内部の牌が図２−５における牌昇降部から天板マット上に出てくる。つまり、麻雀牌は必ず牌投入口の上を通過するので、その箇所に図２−１における銅を含有する熱塑性樹脂組成物を貼付すれば、簡単に銅の抗菌効果を牌に与えることができる。また図３において、機械内部の図３−６におけるターンテーブルマット上で牌を攪拌させるが、予め図３−１における銅を含有する熱塑性樹脂組成物をターンテーブルマットに貼付することで、銅の抗菌効果を与えることができる。また図４ならび図５において、麻雀に使用する図５−１１の点棒は必ず図４−９ならび図５−９における点箱ケース内に収納して使用することから、点箱ケース内に図４−１ならび図５−１における銅を含有する熱塑性樹脂組成物を差し込むことで、常時、点棒と銅を含有する熱塑性樹脂組成物が接触し、銅の殺菌・抗菌効果を与えることができる。
【図面の簡単な説明】
【０００６】
【図１】麻雀卓の全体図である。
【図２】上から見た麻雀卓の図である。
【図３】機械内部のターンテーブル正面図である。
【図４】麻雀卓点数表示枠の正面図である。
【図５】点箱ケースの断面図である。
【考案を実施するための形態】
【０００７】図２において、銅を含有する熱塑性樹脂組成物のサイズに沿って牌投入口から予め貼付されている天板マットを剥がし、その跡に銅を含有する熱塑性樹脂組成物を両面テープなどで固定する。図３においても、銅を含有する熱塑性樹脂組成物のサイズに沿ってターンテーブルマットに予め貼付されているマットを剥がし、その跡に銅を含有する熱塑性樹脂組成物を両面テープなどで固定する。図４においては、点箱ケースは４つに空間が区切られており、銅を含有する熱塑性樹脂組成物の裏面に両面テープなどを貼付し、点箱ケース内部の角度に沿って図５のように湾曲させ、固定する。
【符号の説明】
【０００８】１  銅を含有する熱塑性樹脂組成物
２  牌投入口
３  サイコロボックスボタン
４  天板マット
５  牌昇降部
６  ターンテーブルマット
７  ターンテーブルラック
８  点数表示枠液晶部
９  点箱ケース
１０  点数表示枠
１１  点棒
【図１】
0003232635.tif 000003
【図２】
0003232635.tif 000004
【図３】
0003232635.tif 000005
【図４】
0003232635.tif 000006
【図５】
0003232635.tif 000007
(57)【要約】【課題】    ティッシュペーパーをティッシュ収容箱から一枚を取り出す際に一枚のティッシュペーパーを任意の幅で切り取ることができるティッシュ収容箱を提供する。【解決手段】  ティッシュ収容箱の上面にティッシュ収容箱の長辺部側面から延設して開閉可能な蓋を設けてティッシュ素材の出し入れ口を設け、前記蓋の自由端にティッシュペーパーの切り取り部を設ける収容箱により、環境資源の無駄を減らすことができる。【選択図】図２
0003232634.tif 000002
【実用新案登録請求の範囲】
【請求項１】
ティッシュ収容箱の上面に、ティッシュ収容箱の長辺部側面から延設して開閉可能な蓋を設けてティッシュ素材の出し入れ口を設け、前記蓋の自由端にティッシュペーパーの切り取り部を設けたことを特徴とする、ティッシュ収容箱。
【請求項２】
ティッシュペーパーの切り取り部には、切り欠き部を設けたことを特徴とする請求項１に記載のティッシュ収容箱。
【請求項３】
ティッシュ箱の側面に、ポケットを設けたことを特徴とする請求項１及び請求項２に記載のティッシュ収容箱。
【考案の詳細な説明】
【技術分野】
【０００１】本考案は、ティッシュペーパーをティッシュ収容箱から一枚を取り出す際に、一枚のティッシュペーパーを任意の幅で切り取ることができるティッシュ収容箱を提供することに関する。
【背景技術】
【０００２】従来のティッシュペーパーは、一般的に箱入りであり、上面の開口部から一枚づつ取り出す構造である。
【先行技術文献】
【特許文献】
【０００３】
【特許文献１】特許４９３２０５６
【特許文献２】特開平１０−１５７７７８
【考案の概要】
【考案が解決しようとする課題】
【０００４】そのために次のような問題点があった。
ティッシュペーパーは、１枚が約２０ｃｍ角で出来ており、この１枚を取り出す際２０ｃｍ角も必要としない時があり、省資源の観点からもったいない。
又、ティッシュペーパー使用時に、２０ｃｍ角の半分があれば用が足りる時、残りの半分の置き場所が無かった。
本考案は、これらの問題を解決するためになされたものである。
【課題を解決するための手段】
【０００５】ティッシュ収容箱の上面にティッシュ収容箱の長辺部側面から延設して開閉可可能な蓋を設けティッシュ素材の出し入れ口を設け、前記蓋の自由端にティッシュペーパーの切り取り部を設けたことを特徴とするティッシュ収容箱。【０００６】ティッシュ収容箱の上面にティッシュ収容箱の長辺部側面から延設して開閉可能な蓋を設けティッシュ素材の出し入れ口を設け、前記蓋の自由端にティッシュペーパーの切り取り部を設け、切り取り部には切り欠き部を設けたことを特徴とするティッシュ収容箱。
【考案の効果】
【０００７】本考案によればティッシュペーパーを２０ｃｍ角のまま使用する事も、必要な大きさに切って使用する事も可能である。また、小物入れを設けたことにより、切り取ったティッシュ片を保管することができる。
【図面の簡単な説明】
【０００８】
【図１】  本考案の上面図である。
【図２】  本考案の矢視Ａ側からの斜視図である。
【図３】  本考案の矢視Ｂ側からの斜視図である。
【考案を実施するための形態】
【０００９】開閉蓋を開けてティッシュ素材をティッシュ収容箱に収容させる。開閉蓋を閉じた状態で、前記切り欠き部からティッシュペーパーを一枚適当な長さだけ引き出した状態で切り取り部にて切り取る。したがってティッシュペーパーは一枚全部を引き出される前に、任意の幅で例えば短冊状に切り取ることが可能となる。
【実施例】
【００１０】ティッシュ収容箱１はプラスチックや硬質紙など、耐久性のある材質を適宜選択する。ティッシュ収容箱１の上面にティッシュ出し入れ口２を設け、ティッシュを１枚づつ取り出せる。ティッシュ出し入れ口２はティッシュ収容箱１の長辺側面１１から延設して開閉蓋２１と固定蓋２２およびティッシュ収容箱１の短辺側面１２で囲まれている。この出し入れ口２から詰め替え用の束状のティッシュ素材６の補充を行う。
開閉蓋２１の自由端２３に切り取り部３を設けている。切り取り部３はティッシュペーパー６１が一枚を容易に切り取り可能な程度の硬質で薄い厚みで直線状に設けている。したがって、収容箱１の材料をそのまま利用可能である。
また自由端２３に収容箱１の材料とは別に取り部材を設けることも可能である。
また、切り取り部３の中央部には切り欠き部４を設け、収容されているティッシュ素材を摘まんで引き出しやすくしている。本実施例では、切り取り部３にプラスチック製の切り取り部材３１を設けている。尚、切り取り部３の位置は、短辺側面のほぼ中央に設けるのが好ましい。
収容箱１の側面には側面寸法を揃えたポケット５を設けている。【００１１】本考案を使用するときは、ティッシュペーパー６１を２０ｃｍ角も必要としない時は１枚を一気に引き出さずに途中で止めて、切り取り部３を軽く押さえてティッシュを引っぱって切り込みを入れ、ティッシュペーパーの直線に切れる特性を生かしてティッシュペーパーを切る。残った半端なティッシュペーパーはそのままでも良いが、側面に設けられた小物入れ用のポケットに入れても良い。
切り欠き部を設けたことにより、切り欠き部はティッシュペーパーを摘まみやすく出来るばかりでなく、切り欠き部から次のティッシュペーパーを引き出す時に切り取り済のティッシュペーパーかそうでないかが、切り取り部４から容易に判別することができる。
【符号の説明】
【００１２】１    ティッシュ収容箱
１１  長辺側面
１２  短辺側面
２    ティッシュ出し入れ口
２１  開閉蓋
２２  固定蓋
２３  自由端
３    切り取り部
３１  切り取り部材
４    切り欠き部
５    ポケット
６    束状ティッシュ
６１  ティッシュペーパー
【図１】
0003232634.tif 000003
【図２】
0003232634.tif 000004
【図３】
0003232634.tif 000005
(57)【要約】      （修正有）【課題】店頭のゴンドラ棚に設置して２種類の使い方ができる商品の販売促進用ＰＯＰを提供する。【解決手段】ＰＯＰの背面部５をプライスレールに挟み込んで使用したり、内片部分３を金属フックのプライスカードホルダーに差し込んだ上で背面部についている丸孔６を金属フックのバー部分に通して使用することにより、１種類で店によって違う２種類のＰＯＰの取り付け方に対応でき、２種類を作って１種類が廃棄されるという無駄を解決している。【選択図】図１
0003232640.tif 000002
【実用新案登録請求の範囲】
【請求項１】
商品名を表示するＰＯＰであって、紙製またはプラスチックシート製の薄板から成り、前記薄板の中央に該薄板を二つ折りにする折部を有し、前記薄板において前記折部を挟む一方の側は、外周側の外片部分と、該外片部分に囲まれ一辺が前記折部と連続している内片部分とに分かれており、前記外片部分と内片部分とは、一部の留部で繋がっている以外は切り離されており、前記薄板において前記折部を挟む他方の側は、丸孔を有しているＰＯＰ。
【考案の詳細な説明】
【技術分野】
【０００１】  本考案は、店頭のゴンドラ棚に設置する兼用型ＰＯＰに関するものである。
【背景技術】
【０００２】  店のゴンドラ棚では、商品が棚に直接置かれていたり、プライスケース付きの金属フックに吊るされていたりと様々であり、商品のメーカーはそれに応じたＰＯＰを用意しなければならなかった。
【考案の概要】
【考案が解決しようとする課題】
【０００３】  商品のメーカーにはそれぞれの店の状態が分らないので、プライスレール用と金属フック用との２種類のＰＯＰを作り、送らねばならなく、必要のない方は廃棄されることになり無駄が多かった。従って、どちらの場合でも使えるような形状にすることで、前述の欠点を解決しようとするものである。
【課題を解決するための手段】
【０００４】  本考案は、商品名を表示するＰＯＰであって、紙製またはプラスチックシート製の薄板から成り、前記薄板の中央に該薄板を二つ折りにする折部を有し、前記薄板において前記折部を挟む一方の側は、外周側の外片部分と、該外片部分に囲まれ一辺が前記折部と連続している内片部分とに分かれており、前記外片部分と内片部分とは、一部の留部で繋がっている以外は切り離されており、前記薄板において前記折部を挟む他方の側は、丸孔を有しているＰＯＰである。
ＰＯＰの背面部をプライスレールに挟み込んで使用したり、内片部分を金属フックのプライスカードホルダーに差し込んだ上で背面部分についている丸孔を金属フックのバー部分に通して使用することにより、課題を解決している。
【考案の効果】
【０００５】  本考案のＰＯＰを店頭で使うことにより、使えないものを廃棄する無駄がなくなり、費用の節約や、省資源の効果がある。
【図面の簡単な説明】
【０００６】
【図１】本考案のゴンドラ棚用  ２ｗａｙ  ＰＯＰの形状を示す正面図である。
【図２】本ＰＯＰの外片部分を変形にした正面図である。
【図３】本ＰＯＰをプライスレールに差し込んで使う使用例の図である。
【図４】本ＰＯＰを金属フックのプライスホルダーに差し込んで使う使用例の図である。
【図５】同上
【考案を実施するための形態】
【０００７】  プライスレールに挟み込んで使用する場合は、ＰＯＰの外片部分と内片部分をつないでいる留部を外さずに、背面部をゴンドラのプライスレールに挿入することにより、ＰＯＰの内片部分と外片部分が一体として商品の訴求をする。
金属フックのプライスホルダーに差し込んで使う場合は、ＰＯＰの留部を外して、ＰＯＰ内片部分をプライスホルダーに差し込んだ後、背面部の丸孔を金属フックのバー部分に通すことにより、ＰＯＰの内片部分と外片部分が離れた状態で商品の訴求をする。
【実施例】
【０００８】以下、添付図面に従って一実施例を説明する。１は紙やプラスチックシートなどの素材に印刷して打ち抜き加工を施したＰＯＰ本体、２はＰＯＰの外片部分、３はＰＯＰの内片部分で、２と３は４の留部によりつながっている。４は手作業により簡単に外すことができるが、プライスレールに挟み込んで使用する場合は４を外さずに、金属フックに使用する場合は４を外して使用する。５はＰＯＰ背面部でプライスレールにこの部分を挟み込む。６は５に開けられた丸孔で金属フックに取り付ける場合はこの部分を金属フックのバーに通す。
大きさなどの詳細は下記のようにする。
・ＰＯＰの大きさは６０ｘ９０ｍｍ以上１５０ｘ１５０ｍｍ以下が望ましく、７０ｘ１００ｍｍ以上１３０ｘ１３０ｍｍ以下がさらに望ましい。
・厚みは０．２ｍｍ以上５ｍｍ以下が望ましい。
・丸孔の直径は６ｍｍ以上１０ｍｍ以下が望ましい。
・折部の本数は１本以上３本以下が望ましい。
・留めの大きさは０．８ｍｍから１．２ｍｍが望ましい。
【符号の説明】
【０００９】１  ＰＯＰ本体
２  外片部分
３  内片部分
４  留部
５  背面部
６  丸孔
【図１】
0003232640.tif 000003
【図２】
0003232640.tif 000004
【図３】
0003232640.tif 000005
【図４】
0003232640.tif 000006
【図５】
0003232640.tif 000007
(57)【要約】      （修正有）【課題】ポケット内部に入った取り除きにくいゴミを簡単に取り除くことを可能にするポケットを提供する。【解決手段】筒状に縫製されたポケット本体１を、その左右の上部を衣類５に縫製し、下部は縫い付けず、二つ折りにして、ポケット下部に縫い付けたパーツに取り付けられたスナップボタン凹３を衣類側のスナップボタン凸４に固定することによりポケットとして機能し、スナップボタンをはずすことで底部が開口しゴミを取り除くことができる。【選択図】図４
0003232660.tif 000002
【実用新案登録請求の範囲】
【請求項１】
筒状に縫製した布を、衣類に縫い付ける際、下部を縫い付けずに折り曲げて固定することで、通常はポケットとして使用でき、固定を解除することで底を自在に開閉できる機構を有したポケット。
【考案の詳細な説明】
【技術分野】
【０００１】  本考案は、ゴミを簡単に取り除くことができる機構のポケットに関するものである。
【背景技術】
【０００２】  木工やガーデニングをする際に着用する作業エプロンやズボンについているポケットは、木屑などのゴミが入り、さらには、それらを容易に取り除くことができない。
【先行技術文献】
【特許文献】
【０００３】
【特許文献１】特表２００４−５１０６５５
【考案の概要】
【考案が解決しようとする課題】
【０００４】  ポケットに木くずなどのゴミが入り、取り除けないことで精神的負担が発生するだけでなく、洗濯をすることで他の洗濯物へのごみの付着や色移りなどの問題も発生する。ポケットの底を大きく開口できるようにすることで、簡単にゴミを取り除くことができ、前途の課題を解決しようとするものである。
【課題を解決するための手段】
【０００５】  本考案は、ポケット本体を筒状にし、左右を縫い付ける一方で、底を縫い付けず、内側に折り曲げ固定することでポケットとしての機能を担保する。一方、その固定を外すことで底が大きく開くことにより、内側にたまったゴミを容易に取り除けるようになり、問題点を解決している。
【考案の効果】
【０００６】  上述のように、簡単にゴミを取り除くことができるポケットは、本来のものを納める機能は維持しながら、必要であれば、底をあけることで内側にたまったゴミを取り除くことができるため、ストレスの軽減や洗濯時の色移りなどの問題を防ぐことができる。
【図面の簡単な説明】
【０００７】
【図１】本考案のポケットの斜投影図である。
【図２】本考案のポケットの正面図である。
【図３】本考案のポケットを開いたときの正面図である。
【図４】本考案のポケットの側面図である。
【図５】本考案のポケットを開いたときの側面図である。
【考案を実施するための形態】
【０００８】  ポケットは筒状に縫製したものを衣類に縫い付ける。衣類に縫い付ける際、左右の上部を縫い、筒状の下部は縫い付けず、固定されていない状態とする。その下部を内側に織り込み、スナップボタンで留めることで筒状の内側はポケットとしての機能を有する。スナップボタンをはずすだけで、ポケットが筒状に戻り底部が開くため、内側のごみを取り除くことができる。ジャケット、ズボン、エプロンなどどのような衣類でも可能。
【実施例】
【０００９】  以下添付図面１に従って一実施例を説明する。１は筒状に縫製されたポケット本体、２はスナップボタンを取り付けやすくするためのポケット本体１に取り付けたパーツである。筒状の本体１は左右を縫製して固定され、上部は常時開口しており、下部は内側に二つ折りにしてパーツ２に取り付けられたスナップボタンで留められている。ポケットとしての機能を有している状態である。【００１０】  以下添付図面２に従って一実施例を説明する。１は筒状に縫製されたポケット本体、２はスナップボタンを取り付けやすくするためのポケット本体１に取り付けたパーツである。【００１１】  以下添付図面３に従って一実施例を説明する。３はパーツ２にとりつけられたスナップボタン凹。スナップボタンを外すことで本体１の下部が開口している状態である。【００１２】  以下添付図面４に従って一実施例を説明する。図面４はポケットを側面から見た時の図である。１は筒状に縫製されたポケット本体。５は衣類で、ポケット本体１は左右を衣類１に縫い留められており、下部は縫製されていない。ポケット本体の下部を内側に二つ折りにしてスナップボタン凹３を衣類側のスナップボタン凸４に留める。ポケットとしての機能を有している状態である。【００１３】  以下添付図面５に従って一実施例を説明する。図面５は固定を外したポケットを側面から見た時の図である。３はスナップボタン凹、４はスナップボタン凸。ポケットの下部が開口している状態である。
【符号の説明】
【００１４】１    ポケット本体
２    スナップボタン取付用パーツ
３    スナップボタン凹
４    スナップボタン凸
５    衣類（ジャケット、ズボン、作業エプロンなど）
【図１】
0003232660.tif 000003
【図２】
0003232660.tif 000004
【図３】
0003232660.tif 000005
【図４】
0003232660.tif 000006
【図５】
0003232660.tif 000007
【手続補正書】
【提出日】令和3年2月24日(2021.2.24)
【手続補正１】
【補正対象書類名】実用新案登録請求の範囲
【補正対象項目名】全文
【補正方法】変更
【補正の内容】
【実用新案登録請求の範囲】
【請求項１】
筒状に縫製した布を、衣類に縫い付ける際、通常、ポケットとして使用するため、下部を縫い付けずに折り曲げて、固定するためのスナップボタンを有し、また、そのスナップボタンをはずすことで、固定を解除して、底を自在に開閉できる機構を有したポケット。
(57)【要約】      （修正有）【課題】シニヨンカバー付きバレッタ等の調髪具に保冷剤を直接入れると、冷やしすぎになり、また、保冷剤が水滴を引き寄せることによって、髪やシニヨンカバー部分が濡れることを防ぐ調髪具用保冷剤収納袋を提供する。【解決手段】調髪具の髪収納袋に保冷剤５を入れて首筋を冷やすための調髪具用保冷剤収納袋であって、帯状の温度調節及び水滴取りのためのタオル２の一方の端を、保冷剤５を入れるための袋１の口３の内側に取り付け、タオル２と保冷剤５を袋１に収納して使用する。【選択図】図３
0003232656.tif 000002
【実用新案登録請求の範囲】
【請求項１】
髪収納袋（７）を備えた調髪具の髪収納袋（７）に保冷剤（５）を入れて首筋を冷やすための調髪具用保冷剤収納袋であって、
帯状の温度調節及び水滴取りのためのタオル（２）の一方の端を、保冷剤（５）を入れるための袋（１）の口（３）の内側に取り付け、タオル（２）と保冷剤（５）を袋（１）に収納して使用する調髪具用保冷剤収納袋
【考案の詳細な説明】
【技術分野】
【０００１】  本考案は、シニヨンカバー付きバレッタ等の調髪具に保冷剤を入れ、首筋を冷やすために温度調節をし、水滴を取るための調髪具用保冷剤収納袋に関するものである。
【背景技術】
【０００２】  シニヨンカバー付きバレッタを使用時、シニヨンカバーの当たる首筋に熱がこもり快適に過ごすことが出来なかった
【考案の概要】
【考案が解決しようとする課題】
【０００３】  シニヨンカバー付きバレッタを使用時、シニヨンカバーが当たる首元を冷やすために保冷剤を直接入れると、冷やしすぎたり、水滴が保冷剤につく。
【課題を解決するための手段】
【０００４】  本考案の調髪具用保冷剤収納袋は、髪収納袋（７）を備えた調髪具の収納袋（７）に保冷剤（５）を入れて首筋を冷やすための調髪具用保冷剤収納袋であって、
帯状の温度調節及び水滴取りのためのタオル（２）の一方の端を、保冷剤（５）を入れるための袋（１）の口（３）の内側に取り付け、タオル（２）と保冷剤（５）を袋（１）に収納して使用する
【考案の効果】
【０００５】  タオル部分で温度調節をし、水滴を吸い取ることが出来る。
丸みを帯びた形状にすることでシニヨンカバー部分のシルエットを保ち、袋とタオルを一体化することで、洗濯時にバラバラになることを防げる。
【図面の簡単な説明】
【０００６】
【図１】本考案の調髪具用保冷剤収納袋の正面図である
【図２】本考案の調髪具用保冷剤収納袋口の内側を示す図である
【図３】本考案の調髪具用保冷剤収納袋の使用時の図である
【図４】髪収納袋を備えた調髪具（シニヨンカバー付きバレッタ）を示す図である
【図５】（ａ）は調髪具を頭に付ける前の図で（ｂ）は調髪具を付けた後の図である
【図６】髪収納袋を備えた調髪具に本考案の調髪具用保冷剤収納袋を入れた図である
【考案を実施するための形態】
【０００７】  以下、図１〜図６を用いて実施例を説明する。
【実施例】
【０００８】  袋１には帯状のタオル２の一方の端が縫い付け部分４によって一体化している。袋１は丸みを帯びた形状が望ましい。なぜならば、シニヨンカバー付きバレッタ図４に入れた時のシルエットを保つことが出来るためである。
また、口３にゴム３ａを付けることで保冷剤５が飛び出すのを防ぐことが出来る。
ところで、シニヨンカバー付きバレッタとは図４のように飾り６の付いた髪留め（バレッタ）８に髪収納袋（シニヨンカバー）７を取り付け、髪収納袋の口９より髪を収納する調髪具である。
本考案は図３（ａ）のように袋１に保冷剤５を入れ、タオル２を畳み、ゴム３ａで絞られている口３を開き、袋１に入れる。
または、図３（ｂ）のようにタオル２の端２ａより保冷剤５を巻き、ゴム３ａで絞られている口３を開き、巻いた保冷剤５とともにタオル２を入れる
図３（ａ）のように保冷剤５を入れ、タオル２を袋１に畳み入れるか、図３（ｂ）のように保冷剤５巻いたタオル２を収納するかにより、タオル２の厚みが変わり、好みの温度に調節する。
この保冷剤５を入れた袋１をシニヨンカバー付きバレッタ図４にいれて首筋を冷やす。
本考案の調髪具用保冷剤収納袋を使用する際は、図５（ａ）のように頭髪を一つにくくり、図５（ｂ）のように頭髪をくくった上にシニヨンカバー付きバレッタ図４を取り付け、図６のように首筋側に保冷剤５を収納した本考案の調髪具用保冷剤収納袋を入れる。
首筋を冷やすため、頭髪をくくる位置はなるべく下の方にするとよい。
なおタオル２縫い付け部分４は接着剤を使い取り付ける方法もある。
【符号の説明】
【０００９】１    袋
２    タオル
３    口
４    タオル縫い付け部分
５    保冷剤
６    飾り
７    髪収納袋（シニヨンカバー）
８    髪留め（バレッタ）
９    髪収納袋の口
【図１】
0003232656.tif 000003
【図２】
0003232656.tif 000004
【図３】
0003232656.tif 000005
【図４】
0003232656.tif 000006
【図５】
0003232656.tif 000007
【図６】
0003232656.tif 000008
【手続補正書】
【提出日】令和2年11月6日(2020.11.6)
【手続補正１】
【補正対象書類名】実用新案登録請求の範囲
【補正対象項目名】全文
【補正方法】変更
【補正の内容】
【実用新案登録請求の範囲】
【請求項１】
髪収納袋（７）を備えた調髪具の髪収納袋（７）に保冷剤（５）を入れて首筋を冷やす時に使用する、温度調節及び水滴取りタオル付き調髪具用保冷剤収納袋であって、帯状のタオル（２）の一方の端を、保冷剤（５）を入れるための袋（１）の口（３）の内側に取り付け、タオル（２）と保冷剤（５）を収納した袋（１）を、髪収納袋（７）を備えた調髪具の髪収納袋（７）にいれて使用することにより冷やし過ぎを防ぎ保冷剤（５）による水滴を吸い取る、温度調節及び水滴取りタオル付き調髪具用保冷剤収納袋
【手続補正書】
【提出日】令和3年2月24日(2021.2.24)
【手続補正１】
【補正対象書類名】実用新案登録請求の範囲
【補正対象項目名】全文
【補正方法】変更
【補正の内容】
【実用新案登録請求の範囲】
【請求項１】
髪収納袋（７）を備えた調髪具の前記髪収納袋（７）に保冷剤（５）を入れて首筋を冷やす時に使用する保冷剤収納袋であって、前記保冷剤（５）を入れるための口（３）を有する袋（１）と、帯状かつ前記袋（１）の内側の前記口（３）の部分に一端が取り付けられ、前記保冷剤（５）とともに前記口（３）から前記袋（１）の内に収納されるタオル（２）とを備える保冷剤収納袋